(57)【要約】【課題】ボルトやナットを紛失する懸念の無い、また落石防止などの荷重の掛かるロープの交差部分に用いる場合には、ロープがキンクや摩耗を生じる懸念の無い交差線状材用連結具を提供する。【解決手段】中心部にボルト挿通用の貫通孔７が形成されたブロック体２、３の一組を、前記貫通孔７にボルト４を挿通して柱状体に組付けて用いる交差線状材用連結具１であって、ブロック体２、３同士の対向面間にボルト挿通用貫通孔７を挟んで線状材Ｒを収容し得る収容部１２、１３が交差状に形成されてなる。【選択図】        図１
2005009598.tif 000002
【特許請求の範囲】
【請求項１】
中心部にボルト挿通用の貫通孔が形成されたブロック体の一組を、前記貫通孔にボルトを挿通して柱状体に組付けて用いる交差線状材用連結具であって、ブロック体同士の対向面間にボルト挿通用貫通孔を挟んで線状材を収容し得る収容部が交差状に形成されてなることを特徴とする交差線状材用連結具。
【請求項２】
ブロック体が、その対抗面側がボルト挿通用貫通孔を挟んで交差する傾きで切除され線状材の収容部に形成されてなる請求項１に記載の交差線状材用連結具。
【発明の詳細な説明】
【０００１】
【発明の属する技術分野】
本発明は、交差線状材用連結具に関し、詳細には、ロープ類や棒材あるいは線材などの線状材を交差させて網などを形成する際に使用される、前記線状材の交差部分を連結固定する連結具に関するものである。
【０００２】
【従来の技術】
例えば、特開平１０−２１９６３０号公報（特許文献１）や特開平１１−１４０８２７号公報（特許文献２）には、落石防止のために縦横に張ったワイヤロープの交差部を連結するための連結金具が開示されている。
【０００３】
図６は、特許文献１で開示されている連結金具を示す。この連結金具は、交差ロープＲ１、Ｒ２の重なり部分を内装する鞍状体２１と、挟持ボルト体２２と、ナット２３から構成され、鞍状体２１は、鞍内上部にロープＲ１、Ｒ２の交差部分を収納可能にして、収納部分の前部並びに前部下方を開口してボルト体装着口２４を設け、更に後部下方にボルト挿通孔２５を設けてなる。挟持ボルト体２２は、前記装着口２４に対応する頭部２６と、頭部２６の下方部分から後方に突設したボルト部２７からなる。この連結金具では、ロープＲの交差部分を鞍状体２１の収納箇所（鞍内上部）に重ね合せ状態で収納し、挟持ボルト体２２のボルト部２７を挿通孔２５に挿通すると共に、頭部２６を装着口２４内に位置せしめて、鞍状体２１の後部に突出したボルト部２７にナット２３を螺合緊締して、交差ロープＲ１、Ｒ２を鞍状体２１とボルト部２７の頭部２６とで挟持する。
【０００４】
図７は、特許文献１に開示されている上記とは別の構成の連結金具を示す。この連結金具は、中間体３１と、２個の挟持体３２、３３と挟持ボルト３４と、ナット３５から構成される。中間体３１は、平面楕円形状の板状部材で、その表裏面に互いに交差する方向に穿設した溝３６、３７を形成すると共に、前記溝から外れた両側箇所に表裏貫通するボルト孔３８を穿設している。挟持体３２、３３は、前記中間体３１の上下（表裏）に積層するもので、それぞれ前記溝３６、３７と対面する溝３９、４０を穿設し、且つ前記ボルト孔３８と対応するボルト孔４１、４２を形成している。この連結金具では、交差ロープＲ１、Ｒ２の重なり部分を、中間体３１と挟持体３２、３３の各対向面に溝３６と溝３９並びに溝３７と溝４０でそれぞれ挟持するように積層し、積層状態でボルト３４をボルト孔３８、４１、４２を貫通してナット３５を螺合緊締して、交差ロープＲ１、Ｒ２を中間体３１と挟持体３２、３３とで挟持する。
【０００５】
図８は、特許文献２に開示されている連結金具（クロスクリップ）を示す。このクロスクリップは、ワイヤロープＲを受け入れる受け溝５１、５２が形成された挟持板５３、５４と、挟持板５３、５４間にワイヤロープＲの交差部を挟持した状態で、一方の挟持板５４に形成された貫通孔に挿入され他方の挟持板５３に形成されたネジ孔に螺合されるボルト５５とを備え、ボルト５５を締め付けることによりワイヤロープＲの交差部を結束するようにしている。
【０００６】
【特許文献１】
特開平１０−２１９６３０号公報（段落［００１４］、［００１５］、［００２３］、［００２４］、図２、図３、図１０−１２）
【特許文献２】
特開平１１−１４０８２７号公報（段落［０００３］、図７）
【０００７】
【発明が解決しようとする課題】
ところで、上述した従来の連結具は、ボルトを交差ロープの交差面に対して直交方向から挿通させナットで締め付ける構成であるため、連結具を交差ロープの交差部分へ取り付ける時は、挟持部材でロープを挟持した状態で挟持部材のボルト挿通孔にボルトを挿通し、ナットを締め付けて固定連結する必要があり、また連結具を交差ロープの交差部分から取り除く時は、ナットをボルトから取り除き、更にボルトを抜き取ってからでないと挟持部材をロープの交差部分から取り除くことができない。
【０００８】
従って、連結具を交差ロープに着脱する都度、挟持部材、ボルト、ナットがバラバラになるため、施工現場でボルトやナットの紛失が起こり易い上に、着脱の作業も時間を要し作業性が悪い。特に施工現場が、特許文献１や２のように落石防止の現場である場合には、ボルトやナットを傾斜地に落とし紛失し易い。また図６や図８に示す形態の場合には、交差ロープ同士が接触しているため、ロープのキンクや摩耗が懸念される。
【０００９】
本発明は、上記の問題点に鑑みなしたものであって、その目的は、ボルトやナットを紛失する懸念の無い、また落石防止などの荷重の掛かるロープの交差部分に用いる場合には、ロープがキンクや摩耗を生じる懸念の無い交差線状材用連結具を提供するものである。
【００１０】
【課題を解決するための手段】
上記の目的を達成するために、本発明（請求項１）に係る交差線状材用連結具は、中心部にボルト挿通用の貫通孔が形成されたブロック体の一組を、前記貫通孔にボルトを挿通して柱状体に組付けて用いる交差線状材用連結具であって、ブロック体同士の対向面間にボルト挿通用貫通孔を挟んで線状材を収容し得る収容部が交差状に形成されてなるものである。
【００１１】
上記の構成では、ボルト・ナットを緩めたり、締めたりすることによって、ボルト挿通用貫通孔の両側に形成された線状材の収容部が開閉でき、緩めて開いた状態で線状材を側面の開放側より収容部に収容し、あるいは収容部から側方へ外すことができる。このようにブロック体同士をボルト・ナットで連結したままで収容部への線状材の着脱ができるので、ボルトやナットの紛失が防げ、また施工もし易く、施工作業の作業性が大きく改善される。また、ボルトとナットの締め付け、あるいは緩める操作方向は、線状材の交差面と略平行な方向になるので、施工の際、ボルトの頭やナットへのスパナなどの工具を取り付け易く、また廻り止めがし易く、この面からも施工作業の作業性が改善される。
【００１２】
上記請求項１に係る交差線状材用連結具においては、ブロック体が、その対抗面側がボルト挿通用貫通孔を挟んで交差する傾きで切除され線状材の収容部に形成されてあってもよい（請求項２）。このように形成することにより、上記収容部への線状材の出し入れの操作がよりし易くなる。
【００１３】
【発明の実施の形態】
以下、本発明の実施形態を図面に基づいて説明する。図１は、本発明に係る交差線状材用連結具の説明図であって、ａは正面図、ｂは上面図、ｃは側面図、図２は、本発明に係るブロック体の説明図であって、ａは正面図、ｂは上面図、ｃは左側面図、ｄは右側面図である。
【００１４】
連結具１は、左ブロック体２、右ブロック体３及びボルト４、ワッシャ５、ナット６を備えてなる。また、本例では左右ブロック体２、３は同じ形状のものであって、詳細を図２に示す。
【００１５】
ブロック体２（３）は、角柱体を基本形状とし、その角柱体の中心部にボルト４を挿通するためのボルト挿通用貫通孔７が形成され、また角柱体の一方の端面は、ボルト挿通用貫通孔７を挟んで略交差する傾きで切除された傾斜面８、９と、その傾斜面８、９に断面円弧状に形成された線状材Ｒの収容溝１０、１１を有する。
【００１６】
そして、連結具１は、図１に示すように、ブロック体２と３の傾斜面８、９を有する側を、ブロック体２の傾斜面８とブロック体３の傾斜面９、ブロック体２の傾斜面９とブロック体３の傾斜面８とがそれぞれ対向するように配置するとともに、ブロック体２と３のボルト挿通用貫通孔７にボルト４を挿通し、ワッシャ５及びナット６を取付け、全体として柱状体に組付けて構成される。このように組付けることで、ボルト４を挟んだ柱状体の両側には交差状に線状材Ｒを収容するための収容部１２、１３が形成される。
【００１７】
上記構成の連結具１による線状材Ｒの交差部への取付けは次の要領で行える。すなわち、ナット６を緩めブロック体２と３の間隔を開ける。これにより収容部１２と１３の間隔も開く。この状態で、線状材Ｒの交差部の線状材Ｒ１とＲ２の間に、収容部１２を線状材Ｒ１側に収容部１３を線状材Ｒ２側に位置して装入するとともに、収容部１２に線状材Ｒ１を収容部１３に線状材Ｒ２をそれぞれ収容せしめる。この後、ボルト４にナット６を締め込んで取付ける。また、連結具１から線状材Ｒを外すときは、前記の逆の操作でボルト４に対してナット６を緩めることにより外すことができる。
【００１８】
このようにブロック体２と３をボルト４とナット６で連結したままで線状材Ｒの交差部に対して着脱ができるので、ボルト４やナット６の紛失はもとよりブロック体２（３）の紛失を防止することができる。また、施工もし易く、施工作業の作業性が大きく改善される。更に、ボルト４に対するナット６の締め付け、あるいは緩める操作は、その操作方向が線状材Ｒの交差面と略平行な方向になるので、施工の際、ボルト４の頭やナット６へのスパナなどの工具を取り付け易く、また廻り止めがし易い。
【００１９】
なお、上記例では、ブロック体２（３）の傾斜面８、９に線状材Ｒの収容溝１０、１１として断面円弧状の溝形状を例に説明したが、本発明はこの例に限定されるものではなく、例えば断面Ｖ字状あるいは多角形状の溝形状であってもよいし、またその溝深さはブロック体２と３で同じにする必要はなく、要は線状材Ｒを強固に挟持できる溝形状、溝深さであればよい。
【００２０】
また、上記例では、ブロック体２（３）の収容溝１０、１１の溝底の形状を平滑な場合を例に示したが、本発明はこの例に限定されるものではなく、例えば図３〜図５に示すように、溝方向断面でＳ字状の溝底形状に形成してもよいし（図３参照）、一方の溝底に突起１４を、他方の溝底に窪み１５を対向するように形成してもよいし（図４ａ、ｂ参照）、あるいは溝底に複数の突起１６を等間隔に同位置に又は千鳥状に形成してもよい（図５ｄ、ｅ参照）。
【００２１】
また、上記例では、ブロック体２と３は、同じ大きさの角柱体を用いた場合を例に説明したが、本発明はこの例に限定されるものではなく、一方が長い角柱体あるいは太い角柱体であってもよい。また長い角柱体の場合は、その長い部分を落石防止用の場合などはアンカーへの取付け部として加工してもよいし、あるいは別にアンカーへの取付け板を溶接固定してもよいことは言うまでもない。また、ブロック体２と３の基本形状も角柱体に限定されるものではなく、円柱体あるいは多角柱体であってもよいことは言うまでもない。
【００２２】
【発明の効果】
以上説明したように、本発明に係る交差線状材用連結具によれば、ブロック体同士をボルト・ナットで連結したままで収容部への線状材の着脱ができるので、ブロック体はもとよりボルトやナットの紛失が防止できる。また施工もし易く、施工作業の作業性が大きく改善される。また、ボルトとナットの締め付け、あるいは緩める操作方向は、線状材の交差面と略平行な方向になるので、落石防止などのケーブルの施工の際に、ボルトの頭やナットへのスパナなどの工具が取り付け易く、また廻り止めがし易く、この面からも施工作業の作業性が改善される。
【図面の簡単な説明】
【図１】本発明に係る交差線状材用連結具の説明図であって、ａは正面図、ｂは上面図、ｃは側面図である。
【図２】本発明に係るブロック体の説明図であって、ａは正面図、ｂは上面図、ｃは左側面図、ｄは右側面図である。
【図３】本発明に係るブロック体の別の形態の断面図である。
【図４】本発明に係るブロック体の別の形態の断面図であって、ａは突起と窪みが短い場合、ｂは突起と窪みが比較的長い場合の断面図である。
【図５】本発明に係るブロック体の別の形態の断面図であって、ａは突起が同位置に形成された場合、ｂは突起が千鳥状に形成された場合の断面図である。
【図６】従来の交差部用の連結金具の説明図であって、ａは分解斜視図、ｂは使用状態の断面図である。
【図７】従来の交差部用の連結金具の説明図であって、ａは分解斜視図、ｂは使用状態の平面図、ｃは使用状態の正面図である。
【図８】従来の交差部用の連結金具の説明図であって、ａは正面図、ｂは平面図である。
【符号の説明】
１：連結具              ２：左ブロック体        ３：右ブロック体
４：ボルト              ５：ワッシャ            ６：ナット
７：ボルト挿通用貫通孔  ８、９：傾斜面        １０、１１：収容溝
１２、１３：収容部      １４：突起              １５：窪み
１６：突起                Ｒ、Ｒ１、Ｒ２：線状体
【図１】
2005009598.tif 000003
【図２】
2005009598.tif 000004
【図３】
2005009598.tif 000005
【図４】
2005009598.tif 000006
【図５】
2005009598.tif 000007
【図６】
2005009598.tif 000008
【図７】
2005009598.tif 000009
【図８】
2005009598.tif 000010